(57)【要約】【課題】  着用者が長年着用し続けたとしても、両面垂れと肩との間に隙間が形成され難い剣道用面を提供する。【解決手段】  剣道用面において、面金と、長尺状をなし、長手方向の両端部がそれぞれ面垂れを構成すると共に、前記両面垂れ間に位置する中間部が前記面金の周縁に沿うように設けられた面布団と、前記両面垂れを互いに連結する連結機構とを備える。【選択図】図１
2020199151.tif 000002
【特許請求の範囲】
【請求項１】
面金と、
長尺状をなし、長手方向の両端部がそれぞれ面垂れを構成すると共に、前記両面垂れ間に位置する中間部が前記面金の周縁に沿うように設けられた面布団と、
前記両面垂れを互いに連結する連結機構とを備えることを特徴とする剣道用面。
【請求項２】
前記面布団が、前記中間部の長手方向へ延びる一方の縁部を前記面金の周縁に沿うように設けられたものであり、
前記連結機構が、前記両面垂れの前記一方の縁部から続く縁部を互いに連結するものである請求項１記載の剣道用面。
【請求項３】
前記連結機構が、前記両面垂れ間に架け渡される連結部材を備えるものである請求項１又は２のいずれかに記載の剣道用面。
【請求項４】
前記連結機構が、前記両面垂れを引っ張る力を調節する張力調節機構を備えている請求項１乃至３のいずれかに記載の剣道用面。
【請求項５】
前記張力調節機構が、前記両面垂れに設けられた通孔と、前記両通孔に通された状態で両端が結ばれる前記連結部材とを備えるものである請求項４記載の剣道用面。
【請求項６】
前記面金の周縁における前記面布団の中間部が設けられていない部分に設けられた突き垂と、前記突き垂よりも内側に設けられた用心垂とをさらに備え、
前記連結機構が、前記突き垂と前記用心垂との間に配置されている請求項１乃至５のいずれかに記載の剣道用面。
【発明の詳細な説明】
【技術分野】
【０００１】
本発明は、剣道用面に関するものである。
【背景技術】
【０００２】
剣道用面として、特許文献１に示すように、面金と、長尺状をなし、長手方向の両端部がそれぞれ面垂れを構成し、前記両面垂れ間に位置する中間部が前記面金の周縁に沿うように設けられた面布団と、を備えた構成のものがある。
【０００３】
前記剣道用面を着用者が着用すると、面金によって顔面が保護され、面布団の中間部によって頭部が保護され、面布団の両面垂れによって両肩が保護されるようになっている。
【０００４】
ところで、前記剣道用面を着用者が長年着用し続けると、面布団の両面垂れが大きく外側に湾曲して広がってしまう。そして、面布団の両面垂れが必要以上に広がると、面垂れと突き垂との間や、面垂れと肩との間に隙間が形成され、当該隙間に竹刀が入り込んで危険を伴うという問題があった。
【先行技術文献】
【特許文献】
【０００５】
【特許文献１】実開平６−７５５５３号公報
【発明の概要】
【発明が解決しようとする課題】
【０００６】
そこで、本発明は、着用者が長年着用し続けたとしても、両面垂れと突き垂との間や両面垂れと肩との間に隙間が形成され難い剣道用面を提供することを主な課題とするものである。
【課題を解決するための手段】
【０００７】
すなわち、本発明に係る剣道用面は、面金と、長尺状をなし、長手方向の両端部がそれぞれ面垂れを構成すると共に、前記両面垂れ間に位置する中間部が前記面金の周縁に沿うように設けられた面布団と、前記両面垂れを互いに連結する連結機構とを備えることを特徴とするものである。
【０００８】
このようなものであれば、連結機構によって両面垂れを互いに連結したので、両面垂れの外側への広がりが抑制され、両面垂れと突き垂との間や両面垂れと肩との間に隙間が形成され難くなる。これにより、当該隙間に竹刀が入り込む事態を防止できる。
【０００９】
具体的には、着用者が、一方の肩を上げると、他方の肩が下がる。これに伴って、着用者の一方の肩と当該肩を保護する一方の面垂れとの間の隙間は狭くなるが、着用者の他方の肩と当該肩を保護する他方の面垂れとの間の隙間が広がってしまう。しかし、連結機構によって両面垂れを互いに連結したので、着用者の一方の肩によって一方の面垂れが押し上げられると、連結機構を介して他方の面垂れが引き下げられて着用者の他方の肩に密着するようになる。これにより、面垂れと肩との間に隙間が形成され難くなる。また、この場合、一方の面垂れも連結機構を介して他方の面垂れに引っ張れるため、一方の面垂れと突き垂との間に大きな隙間が形成され難くなる。
【００１０】
また、前記連結機構の具体的な構成としては、前記面布団が、前記中間部の長手方向へ延びる一方の縁部を前記面金の周縁に沿うように設けられたものであり、前記連結機構が、前記両面垂れの前記一方の縁部から続く縁部を互いに連結するものが挙げられる。
【００１１】
このようなものであれば、連結機構を剣道用面の着用時に邪魔にならないように配置することができる。すなわち、このようなものであれば、着用者が剣道用面を着用した場合に、連結機構が着用者の顎又は首の前側に位置付けられるようになり、邪魔にならない。
【００１２】
また、前記連結機構の具体的な構成としては、前記連結機構が、前記両面垂れ間に架け渡される連結部材を備えるものが挙げられる。
【００１３】
ところで、連結機構が両面垂れを引っ張る力を強くなると、両面垂れが連動し易くなり、面垂れと肩との密着性が向上するものの着用者が動き難くなる。一方、連結機構が両面垂れを引っ張る力が弱くなると、両面垂れが連動し難くなり、面垂れと肩との密着性が低下するものの着用者が動き易くなる。そこで、前記連結機構が、前記両面垂れを引っ張る力を調節する張力調節機構を備える構成としてもよい。
【００１４】
前記張力調節機構の具体的な構成としては、前記張力調節機構が、前記両面垂れに設けられた通孔と、前記両通孔に通された状態で両端が結ばれる前記連結部材とを備えるものが挙げられる。
【００１５】
このようなものであれば、両面垂れ間に架け渡される連結部材の長さを調節することにより、連結機構が両面垂れを引っ張る力を調節することができる。
【００１６】
また、前記両面垂れ間に位置するように前記面金の周縁に設けられた突き垂をさらに備え、前記連結機構が、前記突き垂よりも内側に配置されるものであってもよい。
【００１７】
このようなものであれば、連結機構が剣道用面の外側に露出し難くなり、竹刀が引っ掛かることを防止できる。
【００１８】
また、前記面金の周縁における前記面布団の中間部が設けられていない部分に設けられた突き垂と、前記突き垂よりも内側に設けられた用心垂とをさらに備え、前記連結機構が、前記突き垂と前記用心垂との間に通すように配置されているものであってもよい。
【００１９】
このようなものであれば、着用者が剣道用面を着用した場合に、連結部材が邪魔にならない。
【発明の効果】
【００２０】
このような構成の剣道用面によれば、着用者が長年着用し続けたとしても、面垂れと肩との間に隙間が形成され難くなる。
【図面の簡単な説明】
【００２１】
【図１】実施形態に係る剣道用面を模式的に示す斜視図である。
【図２】実施形態に係る剣道用面の模式的に示す一部拡大斜視図である
【図３】実施形態に係る剣道用面の動作を説明するための模式図である。
【発明を実施するための形態】
【００２２】
以下に、本発明に係る剣道用面を図面に基づいて説明する。
【００２３】
＜実施形態１＞  本実施形態に係る剣道用面１００は、図１及び図２に示すように、主に着用者の顔面を保護する面金１０と、主に着用者の頭頂、側頭及び肩を保護する面布団２０と、主に着用者の首（喉）を保護する突き垂３０及び用心垂４０と、を備えている。
【００２４】
前記面金１０は、楕円形状の枠体１１と、枠体１１内に左右方向へ架け渡された複数の横金１２と、枠体１１内に上下方向へ架け渡された縦金１３と、を備えている。なお、縦金１３は、枠体１１内の左右方向中央を上下方向へ延びるように一つ架け渡されており、各横金１３と交差する位置で当該横金１３に接続されている。
【００２５】
前記面布団２０は、長尺状をなし、長手方向の両端部によって面垂れ２１ａ、２１ｂを構成すると共に、両面垂れ２１ａ，２１ｂ間に位置する中間部２２が面金１０の周縁（枠体１１）に沿うように取り付けられている。具体的には、面布団２０は、中間部２２の長手方向に延びる一方の縁部２２ｅが面金１０の周縁の下側を除く部分に沿うように取り付けられている。なお、両垂れ２１ａ，２１ｂの前記一方の縁部２２ｅから続く縁部２１ｅは、面金１０の枠体１１に取り付けられていない。これにより、面布団２０は、剣道用面１００を着用者が着用した状態において、両面垂れ２１ａ，２１ｂが着用者の肩に沿って配置されると共に、中間部２２が着用者の頭頂及び両側頭に沿って配置される。
【００２６】
前記突き垂３０は、面金１０の周縁の面布団２０の中間部２２が取り付けられていない部分に取り付けられている。具体的には、突き垂３０は、面布団２０の中間部２２が取り付けられていない面金１０の周縁の下側に取り付けられている。これにより、突き垂３０は、両面垂れ２１ａ，２１ｂ間に位置付けられる。なお、突き垂３０は、閂３１によって両面垂れ２１ａ、２１ｂに連結されている。
【００２７】
前記用心垂４０は、突き垂３０と同様に面金１０の周縁の面布団２０の中間部２２が取り付けられていない部分に取り付けられており、突き垂３０に対して内側（言い換えれば、着用者側）に配置されている。すなわち、突き垂３０が外側に配置され、用心垂４０が内側に配置される。
【００２８】
よって、前記突き垂４０及び前記用心垂５０は、剣道用面１００を着用者が着用した状態において、着用者の首（喉）の前側に二重に配置される。
【００２９】
なお、前記面布団１０、前記突き垂４０及び前記用心垂５０は、例えば、衝撃を緩衝するクッション材に対し、表地及び裏地を縫合して一体にしたものである。
【００３０】
そして、前記剣道用面１００は、面布団１０の両面垂れ２１ａ、２１ｂを互いに連結する連結機構５０をさらに備えている。なお、連結機構５０は、突き垂３０の先端側よりも面金１０の周縁に取り付けられる元端側に設けられており、突き垂３０と用心垂４０との間に配置されている。また、連結機構５０は、両面垂れ２１ａ，２１ｂの閂３１が取り付けられた位置よりも先端側を互いに連結するように構成されている。
【００３１】
前記連結機構５０は、具体的には、両面垂れ２１ａ，２１ｂ間に架け渡される連結部材５２を備えている。なお、連結部材５２は、両面垂れ２１ａ，２１ｂ間に間隔を空けた状態で架け渡される。すなわち、連結部材５２は、一端側が一方の面垂れ２１ａに連結されていると共に、他端側が他方の面垂れ２１ｂに連結されている。
【００３２】
本実施形態の連結機構５０は、両面垂れ２１ａ，２１ｂに設けられた通孔５１と、両通孔５１に通された状態で両端が結ばれる紐状の連結部材５２と、を備えている。なお、連結部材５０は、突き垂３０と用心垂４０との間に通すように設けられている。すなわち、連結部材５０は、突き垂３０の内面に沿うように両面垂れ２１ａ、２１ｂ間に架け渡されている。
【００３３】
前記通孔５１は、面布団２０の中間部２２における面金１０に取り付けられる一方の縁部２２ｅから続く縁部２１ｅに形成されている。そして、通孔５１は、面垂れ２１ａ，２１ｂの閂３１が取り付けられた位置よりも先端側であって、先端よりも中間部２２側に近い位置に形成されている。
【００３４】
また、本実施形態の連結機構５０は、両通孔５１に通されて両面垂れ２１ａ，２１ｂ間に架け渡された連結部材５２の長さを調節することにより、両面垂れ２１ａ，２１ｂを引っ張る力を調節できるようになっている。すなわち、両面垂れ２１ａ，２１ｂ間の間隔が短くなるように連結部材５２の両端を結ぶことにより、連結機構５０の両面垂れ２１ａ，２１ｂを引っ張る力を強くすることができる。一方、両面垂れ２１ａ，２１ｂ間の間隔が長くなるように連結部材５２の両端を結ぶことにより、連結機構５０の両面垂れ２１ａ，２１ｂを引っ張る力を弱くすることができる。よって、両通孔５１及び連結部材５２は、連結機構５０の両面垂れ２１ａ，２１ｂを引っ張る力を調節するための張力調節機構としての機能を有している。
【００３５】
次に、本実施形態の剣道用面１００の動作を図３に基づき説明する。
【００３６】
例えば、剣道用面１００を着用した着用者が、両肩Ｓａ，Ｓｂを同じ高さにした姿勢（図３（ａ）参照）から、一方の肩Ｓａを上げると共に他方の肩Ｓｂを下げた姿勢（図３（ｂ）参照）にした場合を想定する。
【００３７】
この場合、一方の肩Ｓａの上に配置された一方の面垂れ２１ａは、一方の肩Ｓａによって上方（図３（ｂ）中、Ｘａ方向）に持ち上げられ、一方の肩Ｓａと密着した状態となる。一方、他方の肩Ｓｂの上に配置された他方の面垂れ２１ｂは、連結部材５２によって下方（図３（ｂ）中、Ｘｂ方向）に引っ張れ、他方の肩Ｓｂと密着した状態となる。すなわち、一方の面垂れ２１ａが上方へ持ち上げられると、連結部材５２が一方の面垂れ２１ａ側へ引っ張られ、これに伴って他方の面垂れ２１ｂが下方へ引っ張られる。これにより、他方の面垂れ２１ｂと他方の肩Ｓｂとの間に大きな隙間が形成され難くなる。
【００３８】
また、一方の面垂れ２１ａも、連結部材５２によって他方の面垂れ２１ｂ側へ引っ張られる。これにより、一方の面垂れ２１ａと突き垂３０との間に大きな隙間が形成され難くなる。
【００３９】
なお、連結機構５０によって両面垂れ２１ａ，２１ｂを引っ張る力をある程度強くしておけば、着用者が、両肩Ｓａ，Ｓｂを下げた姿勢にした場合にも、両面垂れ２１ａ，２１ｂが両肩Ｓａ，Ｓｂに密着した状態となる。
【００４０】
これにより、剣道用面１００を着用した着用者が、両肩Ｓａ，Ｓｂを動かしたとしても両面垂れ２１ａ、２１ｂがその両肩Ｓａ，Ｓｂの動きに追従して動き、密着した状態が保たれる。よって、両面垂れ２１ａ、２１ｂと両肩Ｓａ，Ｓｂとの間に隙間が形成され難くなる。
【００４１】
＜その他の実施形態＞  前記実施形態の連結機構５０は、張力調節機構を備えていないものであってもよい。具体的には、連結機構５０が、一方の面垂れ２１ａに連結部材２２の一端を固定し、他方の面垂れ２１ｂに連結部材２２の他端を固定した構成のものとしてもよい。また、連結機構５０には、必ずしも両面垂れ２１ａ，２１ｂを引っ張るような力が働いていなくてもよい。
【００４２】
その他、本発明は前記各実施形態に限られず、その趣旨を逸脱しない範囲で種々の変形が可能であるのは言うまでもない。
【符号の説明】
【００４３】
１００  剣道用面
１０  面金
１１  枠体
１２  横金
１３  縦金
２０  面布団
２１ａ，２１ｂ  面垂れ
２２  中間部
３０  突き垂
３１  閂
４０  用心垂
５０  連結機構
５１  通孔
５２  連結部材
【図１】
2020199151.tif 000003
【図２】
2020199151.tif 000004
【図３】
2020199151.tif 000005
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
面金と、
長尺状をなし、長手方向の両端部がそれぞれ面垂れを構成すると共に、前記両面垂れ間に位置する中間部が前記面金の周縁に沿うように設けられた面布団と、
前記面金の周縁における前記面布団の中間部が設けられていない部分に設けられた突き垂と、
前記突き垂よりも内側に設けられた用心垂と、
前記両面垂れを互いに連結する連結機構とを備え
前記連結機構が、前記突き垂と前記用心垂との間に配置されていることを特徴とする剣道用面。
【請求項２】
前記面布団が、前記中間部の長手方向へ延びる一方の縁部を前記面金の周縁に沿うように設けられたものであり、
前記連結機構が、前記両面垂れの前記一方の縁部から続く縁部を互いに連結するものである請求項１記載の剣道用面。
【請求項３】
前記連結機構が、前記両面垂れ間に架け渡される連結部材を備えるものである請求項１又は２のいずれかに記載の剣道用面。
【請求項４】
前記連結機構が、前記両面垂れを引っ張る力を調節する張力調節機構を備えている請求項１乃至３のいずれかに記載の剣道用面。
【請求項５】
前記張力調節機構が、前記両面垂れに設けられた通孔と、前記両通孔に通された状態で両端が結ばれる前記連結部材とを備えるものである請求項４記載の剣道用面。